(57)【要約】【課題】顧客による商品の購買意欲を効率よく喚起させる。【解決手段】  サーバ３０，７０は、それぞれ記憶部３１，７１及びＣＰＵ３２，７２を有する。記憶部３１，７１に記憶されている商品マスタデータベース３１ａ，７１ａには、商品に関連する商品関連情報３１ａａ、７１ａａと該商品の香りを示す香り情報３１ｂａ，７１ｂａとが、関連付けられている。抽出部として機能するＣＰＵ３２，７２は、商品マスタデータベース３１ａ，７１ａから、販売対象となっている商品の商品関連情報３１ａａ，７１ａａ及びこれに対応する香り情報３１ａｂ，７１ａｂを抽出する。プリンタ５０，９０は、抽出された商品関連情報３１ａａ，７１ａａが顧客に提示されつつ、抽出された香り情報３１ａｂ，７１ａｂに応じた香りが顧客側に放たれるように、ＣＰＵ３２，７２の抽出結果を出力する。【選択図】図３
2014142700.tif 000002
【特許請求の範囲】
【請求項１】
商品に関連する商品関連情報と該商品の香りを示す香り情報とが関連付けられた芳香関連データ、を記憶する記憶部と、
前記芳香関連データから、販売対象となっている前記商品の前記商品関連情報及びこれに対応する前記香り情報を抽出する抽出部と、
抽出された前記商品関連情報が顧客に提示されつつ、抽出された前記香り情報に応じた香りが顧客側に放たれるように、前記抽出部の抽出結果を出力する出力部と、
を備える、販売促進支援装置。
【請求項２】
前記出力部は、抽出された前記商品関連情報を印刷可能媒体に印刷すると共に、抽出された前記香り情報に応じた香りを前記印刷可能媒体に付加することで、ＰＯＰ広告を生成する、
請求項１に記載の販売促進支援装置。
【請求項３】
前記出力部は、
前記商品関連情報を表示する表示部に前記商品関連情報を送信し、
前記表示部付近に位置する噴霧部から前記香り情報に応じた香りが噴霧されるように、前記噴霧部に前記香り情報を送信する、
請求項１に記載の販売促進支援装置。
【発明の詳細な説明】
【技術分野】
【０００１】
本発明は、販売促進支援装置に関する。
【背景技術】
【０００２】
スーパーマーケットや百貨店等の店舗では、商品が陳列棚に陳列されており、陳列棚付近にはＰＯＰ（Ｐｏｉｎｔ  ｏｆ  Ｐｕｒｃｈａｓｅ）広告が取り付けられている場合がある。ＰＯＰ広告は、商品の特徴等を顧客にアピールすることで顧客の購買意欲を喚起するためのものであって、商品名及び価格の他、商品をアピールするメッセージ等が記載されている。
【０００３】
一般的に、ＰＯＰ広告は、店舗側のスタッフにより手書きにて作成されることがあるが、例えば特許文献１（特開２００５−１９３４３３号公報）に開示されているように、ＰＯＰ広告の作成を支援する装置を用いて生成されることもある。
【発明の概要】
【発明が解決しようとする課題】
【０００４】
ところで、顧客の購買意欲喚起の方法として、商品の香りを放つ芳香器を陳列棚付近に配備する方法が挙げられる。この方法により、芳香器が配備されたエリアには、芳香器から発せられる香りが充満し、事実、該当商品の売上が上昇した事例が報告されている。
【０００５】
これを受け、商品の香りをより効率よく利用して、更に顧客の購買意欲を喚起させることができるような販売方法が求められる。
【０００６】
そこで、本発明の課題は、顧客による商品の購買意欲を効率よく喚起させることができる販売促進支援装置の提供にある。
【課題を解決するための手段】
【０００７】
販売促進支援装置は、記憶部と、抽出部と、出力部とを備える。記憶部は、芳香関連データを記憶する。芳香関連データには、商品に関連する商品関連情報と該商品の香りを示す香り情報とが、関連付けられている。抽出部は、芳香関連データから、販売対象となっている商品の商品関連情報及びこれに対応する香り情報を抽出する。出力部は、抽出された商品関連情報が顧客に提示されつつ、抽出された香り情報に応じた香りが顧客側に放たれるように、抽出部の抽出結果を出力する。
【０００８】
商品関連情報には、商品名及び商品の価格等が含まれる。上記販売促進支援装置では、顧客は、商品関連情報である商品名及び価格等を視覚的に把握し、更にはその商品の香りを嗅覚的に捉えることができる。つまり、顧客は、商品の価格等と、その商品の香りとを、同時に知ることができる。従って、商品名及び価格を含むＰＯＰ広告のみが取り付けられた場合に比して、顧客による商品の購買意欲がより効率的に喚起されることとなる。
【０００９】
また、出力部は、抽出された商品関連情報を印刷可能媒体に印刷すると共に、抽出された香り情報に応じた香りを印刷可能媒体に付加することで、ＰＯＰ広告を生成することが好ましい。
【００１０】
もしくは、出力部は、商品関連情報を表示する表示部に商品関連情報を送信し、表示部付近に位置する噴霧部から香り情報に応じた香りが噴霧されるように、噴霧部に香り情報を送信することが好ましい。
【発明の効果】
【００１１】
本発明に係る販売促進支援装置によると、商品名及び価格を含むＰＯＰ広告のみが取り付けられた場合に比して、顧客による商品の購買意欲がより効率的に喚起されることとなる。
【図面の簡単な説明】
【００１２】
【図１】本実施形態に係る販売促進支援装置が採用されたＰＯＰシステムの概略図。
【図２】本部側サーバ及び店舗側サーバの構成を模式的に示す図。
【図３】本実施形態に係る商品マスタデータベースの概念を説明するための図。
【図４】ＰＯＰ用データベースの概念を説明するための図。
【図５】本部側端末及び店舗側端末の構成を模式的に示す図。
【図６】ＰＯＰ広告のレイアウトに関する編集画面例。
【図７】ＰＯＰ広告の印刷イメージ画面例。
【図８】本部側プリンタ及び店舗側プリンタの構成を模式的に示す図。
【図９】本部側プリンタ及び店舗側プリンタの構造を、簡単に示す図。
【図１０】本実施形態に係るＰＯＰシステムが行う一連の動作を説明するための図であって、特にＰＯＰ広告の印刷手順がパターン（Ｉ）の場合を表す図。
【図１１】本実施形態に係るＰＯＰシステムが行う一連の動作を説明するための図であって、特にＰＯＰ広告の印刷手順がパターン（ＩＩ）の場合を表す図。
【図１２】本実施形態に係るＰＯＰシステムが行う一連の動作を説明するための図であって、特にＰＯＰ広告の印刷手順がパターン（ＩＩＩ）の場合を表す図。
【図１３】変形例Ａに係る販売促進支援装置が採用されたＰＯＰシステムの概略図。
【図１４】変形例Ｂに係る販売促進支援装置が採用されたＰＯＰシステムの概略図。
【発明を実施するための形態】
【００１３】
以下図面を参照しながら、本発明の実施形態について説明する。なお、以下の実施形態は、本発明の具体例であって、本発明の技術的範囲を限定するものではない。
【００１４】
（１）概要
図１は、本発明の一実施形態に係る販売促進支援装置が採用されたＰＯＰシステム１０の概略を示す。ＰＯＰシステム１０は、商品の情報が印刷されたＰＯＰ（Ｐｏｉｎｔ  ｏｆ  Ｐｕｒｃｈａｓｅ）広告の作成を支援するシステムである。
【００１５】
図１に示すように、ＰＯＰシステム１０は、本部２０側に設置された複数の機器と、店舗６０側に設置された複数の機器とが、ネットワーク１１を介して互いに接続されることで構成されている。本部２０側には、本部側サーバ３０、本部側端末４０及び本部側プリンタ５０が設置されており、店舗６０側には、店舗側サーバ７０、店舗側端末８０及び店舗側プリンタ９０が設置されている。
【００１６】
店舗６０としては、様々な商品を販売するスーパーマーケット、ディスカウントショップ、コンビニエンスストア、百貨店等が挙げられる。本部２０としては、商品の提供元（詳細には、販売元及び製造元）であるメーカー、店舗の本社等が挙げられる。店舗６０が複数ある場合には、本部２０側では、各店舗６０にて販売される商品の統括した管理等が行われ、各店舗６０側では、自身の店舗６０にて販売される商品の管理が行われる。
【００１７】
そして、本実施形態において、ＰＯＰシステム１０を用いてＰＯＰ広告が印刷される手順としては、以下の３パターンが挙げられる。
（Ｉ）本部２０が商品の提供元であるメーカーの場合、ＰＯＰ広告の対象となる商品に関連する情報（即ち、後述する商品関連情報３１ａａ）等は、本部２０側から任意の店舗６０側に送信される。送信された商品関連情報３１ａａが店舗６０側にて用紙（印刷可能媒体に相当）に印刷されることで、ＰＯＰ広告が作成される。
（ＩＩ）本部２０が１または複数ある店舗６０の本社である場合、商品関連情報３１ａａは、本部２０の担当者によって本部側端末４０を用いて入力され、本部側サーバ３０にて記憶及び管理される。当該情報３１ａａが本部側プリンタ５０にて用紙に印刷されることで、ＰＯＰ広告が作成される。ＰＯＰ広告は、本部２０の担当者によって１または複数の店舗６０それぞれに配布される。
（ＩＩＩ）商品関連情報７１ａａは、店舗６０側の担当者によって店舗側端末８０を用いて入力され、店舗側サーバ７０にて記憶及び管理される。当該情報７１ａａが店舗側プリンタ９０にて用紙に印刷されることで、ＰＯＰ広告が作成される。ＰＯＰ広告は、店舗６０側の担当者によってその店舗６０の売場に取り付けられる。
【００１８】
特に、本実施形態に係るＰＯＰシステム１０では、上記（Ｉ）〜（ＩＩＩ）のどのパターンが選択された場合でも、商品関連情報３１ａａ，７１ａａが単に用紙に印刷されるだけではなく、その商品関連情報３１ａａ，７１ａａに対応する商品の香りが当該用紙に付加されることで、香り付きのＰＯＰ広告が作成される。
【００１９】
なお、図１では、説明の便宜上、本部２０及び店舗６０がそれぞれ１つずつである場合を図示している。しかし、本部２０及び店舗６０の数は、いずれか一方もしくは両方ともが複数であってもよい。
【００２０】
（２）ＰＯＰシステムを構成する各種機器の構成
以下では、ＰＯＰシステム１０を構成する各種機器（詳細には、本部側サーバ３０及び店舗側サーバ７０、本部側端末４０及び店舗側端末８０、本部側プリンタ５０及び店舗側プリンタ９０）の構成について説明する。
【００２１】
なお、香り付きＰＯＰ広告の作成にあたり必要となる構成に着目すると、本部側サーバ３０と店舗側サーバ７０、本部側端末４０と店舗側端末８０、本部側プリンタ５０と店舗側プリンタ９０は、それぞれ同様の構成を有している。そこで、以下では、本部２０側及び店舗６０側それぞれの特有の役割を意識して説明する場合を除き、本部側サーバ３０及び店舗側サーバ７０を「サーバ３０，７０」、本部側端末４０と店舗側端末８０を「端末４０，８０」、本部側プリンタ５０と店舗側プリンタ９０を「プリンタ５０，９０」と称呼する。そして、以下では、サーバ３０，７０、端末４０，８０、プリンタ５０，９０毎に、各構成を説明する。
【００２２】
（２−１）サーバ
図２に示すように、各サーバ３０，７０は、主として、記憶部３１，７１（記憶部に相当）及びＣＰＵ３２，７２（抽出部に相当）を有する。サーバ３０，７０は、商品の統括管理に必要なデータベースの記憶及び管理等を行う。
【００２３】
（２−１−１）記憶部
記憶部３１，７１は、ＲＯＭ及びＲＡＭ等である半導体メモリ、ハードディスク等の記憶媒体で構成されている。記憶部３１，７１は、ＣＰＵ３２，７２が読み出して実行するための制御プログラムの他、商品マスタデータベース３１ａ，７１ａ（芳香関連データに相当）、ＰＯＰ用データベース３１ｂ，７１ｂ、ＰＯＳ関連特売商品マスタデータベース３１ｃ，７１ｃを記憶している。
【００２４】
本実施形態に係る商品マスタデータベース３１ａ，７１ａには、図３に示すように、商品に関連する商品関連情報３１ａａ，７１ａａのみならず、香り情報３１ａｂ，７１ａｂが含まれている。商品関連情報３１ａａ，７１ａａ及び香り情報３１ａｂ，７１ａｂは、互いに関連付けられており、１つの商品関連情報３１ａａ，７１ａａとこれに対応する１つの香り情報３１ａｂ，７１ａｂとが１レコードとなるようにしてデータベース３１ａ，７１ａ内に格納されている。商品関連情報３１ａａ，７１ａａには、商品名毎に割り振られた商品コード、商品名、メーカー及び産地、商品の規格、商品の価格（売価）が含まれている。香り情報３１ａｂ，７１ａｂは、該当レコードで表されている商品の香りを示す情報である。例えば、図３の一番上のレコードでは、商品名“さっぱりミントシャンプー”に対し、香り情報３１ａｂ，７１ａｂ“ミント”が対応付けられている。これは、“さっぱりミントシャンプー”なる商品自体からは、実際に使用する際等に“ミント”の香りがすることを表している。
【００２５】
ＰＯＰ用データベース３１ｂ，７１ｂには、商品のＰＯＰ広告の作成にあたり必要となる情報が含まれている。具体的に、ＰＯＰ用データベース３１ｂ，７１ｂには、図４に示すように、レイアウト枠サイズ情報３１ｂａ，７１ｂａ及びレイアウト情報３１ｂｂ，７１ｂｂが含まれている。レイアウト枠サイズ情報３１ｂａ，７１ｂａには、ＰＯＰ広告内において、商品をアピールする内容の文字列を配置できる範囲の枠幅Ｌ及び枠高さＨが定義されている（図６参照）。レイアウト情報３１ｂｂ，７１ｂｂには、当該文字列を１行で表すことができる最大の文字数（最大改行文字数）、当該文字列における文字の高さの最大値（最大文字高さ）、当該文字列の行間の割付の有無（行割付）、当該文字列の内容（文字列）等が含まれている（図６参照）。
【００２６】
ＰＯＳ関連特売商品マスタデータベース３１ｃ，７１ｃには、特売商品に関する情報が含まれている。図示はしていないが、特売商品に関する情報としては、商品を通常販売時よりも安く売る期間である特売期間や、特売期間の間の商品の価格等が含まれている。
【００２７】
（２−１−２）ＣＰＵ
図２に示すように、ＣＰＵ３２，７２は、バスラインＢＬ１を介して記憶部３１，７１と接続されている。更に、ＣＰＵ３２，７２は、バスラインＢＬ１及び入出力インターフェース３３，７３を介して、外部機器である端末４０，８０及びプリンタ５０，９０とも接続されている。
【００２８】
ＣＰＵ３２，７２は、記憶部３１，７１内の制御プログラムに基づいて、外部機器との通信動作制御、各種データベース３１ａ〜３１ｃ，７１ａ〜７１ｃの管理制御等を行う。例えば、商品マスタデータベース３１ａ，７１ａの編集開始の際に、商品マスタデータベース３１ａ、７１ａの送信要求が端末４０ａ，８０ａからなされた場合、ＣＰＵ３２，７２は、商品マスタデータベース３１ａ，７１ａの送信動作制御を行う。また、例えばＰＯＰ広告の作成開始の際に、ＰＯＰ用データベース３１ｂ，７１ｂ（具体的には、ＰＯＰ広告のレイアウト情報３１ｂｂ，７１ｂｂ等）の送信要求が端末４０，８０からなされた場合、ＣＰＵ３２，７２は、ＰＯＰ用データベース３１ｂ，７１ｂ内のレイアウト枠サイズ情報３１ｂａ，７１ｂａ及びレイアウト情報３１ｂｂ，７１ｂｂを、送信要求の送信元である端末４０，８０に返信する通信動作制御を行う。また、ＣＰＵ３２，７２は、ＰＯＳ関連特売商品マスタデータベース３１ｃ，７１ｃ内の特売商品に関する情報を端末４０，８０に送信する通信動作制御も行うことができる。
【００２９】
特に、本実施形態に係るＣＰＵ３２，７２は、商品マスタデータベース３１ａ，７１ａ内から任意のレコードを抽出する、いわゆる抽出部としての役割を担う。具体的には、販売対象となっている商品に対するＰＯＰ広告の作成指示が端末４０，８０を介してなされた場合、ＣＰＵ３２，７２は、該当する商品の商品関連情報３１ａａ，７１ａａを抽出する。次いで、作成されたＰＯＰ広告の印刷指示が端末４０，８０を介してなされた場合、ＣＰＵ３２，７２は、当該ＰＯＰ広告における商品関連情報３１ａａ，７１ａａに対応する香り情報３１ａｂ，７１ａｂを抽出する。抽出された商品関連情報３１ａａ，７１ａａ及び香り情報３１ａｂ，７１ａｂは、バスラインＢＬ１及び入出力インターフェース３３，７３を介して、各種指示の送信元である端末４０，８０に送られる。
【００３０】
（２−２）端末
図５に示すように、端末４０，８０それぞれは、主として、記憶部４１，８１、ＣＰＵ４２，８２、表示部４４，８４及び入力部４５，８５を有する。端末４０，８０は、主に、各種データベース３１ａ〜３１ｃ，７１ａ〜７１ｃの更新やＰＯＰ広告作成にあたり、本部２０側または店舗６０側の担当者によって利用される機器である。
【００３１】
（２−２−１）記憶部
記憶部４１，８１は、ＲＯＭ及びＲＡＭ等である半導体メモリ、ハードディスク等の記憶媒体で構成されている。記憶部４１，８１は、ＣＰＵ４２，８２が読み出して実行するための制御プログラムを記憶している。
【００３２】
他に、記憶部４１，８１は、端末４０，８０を用いて各種データベース３１ａ〜３１ｃ，７１ａ〜７１ｃの更新が行われる際には、各種データベース３１ａ〜３１ｃの更新前後におけるデータを一時的に記憶することができる。また、記憶部４１，８１は、ＰＯＰ広告の印刷データが作成される際、当該印刷データを記憶することもできる。
【００３３】
（２−２−２）ＣＰＵ
ＣＰＵ４２，８２は、バスラインＢＬ２を介して記憶部４１，８１と接続されている。更に、ＣＰＵ４２，８２は、バスラインＢＬ２及び入出力インターフェース４３，８３を介して、表示部４４，８４、入力部４５，８５、外部機器であるサーバ３０，７０及びプリンタ５０，９０とも接続されている。
【００３４】
ＣＰＵ４２，８２は、記憶部４１，８１内の制御プログラムに基づいて、外部機器（即ち、サーバ３０，７０及びプリンタ５０，９０）との通信動作制御、端末４０，８０を構成する各種ハードウェアの動作制御等を行う。一例としては、入力部４５，８５を介して本部２０側または店舗６０側の担当者から商品マスタデータベース３１ａ，７１ａを編集する旨の指示がなされた場合、ＣＰＵ４２，８２は、商品マスタデータベース３１ａ，７１ａの送信要求がサーバ３０，７０に出力されるように、通信制御を行う。入力部４５，８５を介して担当者からＰＯＰ広告の作成を行う旨の指示がなされた場合、ＣＰＵ４２，８２は、ＰＯＰ用データベース３１ｂ，７１ｂの送信要求がサーバ３０，７０に出力されるように、通信制御を行う。また、ＣＰＵ４２，８２は、編集等された後の各データベース３１ａ〜３１ｃ，７１ａ〜７１ｃがサーバ３１，７１に出力されるように、通信制御を行う。
【００３５】
更に、ＣＰＵ４２，８２は、サーバ３０，７０のＣＰＵ３２，７２によって抽出された商品関連情報３１ａａ，７１ａａに基づくＰＯＰ広告の印刷データの作成動作を行う。ＰＯＰ広告の印刷指示が入力部４５，８５を介してなされた場合、ＣＰＵ４２，８２は、当該指示をサーバ３０，７０へと送り、抽出された香り情報３１ｂａ，７１ｂａが送られてくるまで待機する。香り情報３１ｂａ，７１ｂａがサーバ３０，７０より送られてきた場合、ＣＰＵ４２，８２は、この香り情報３１ｂａ，７１ｂａ及び対応する印刷データをプリンタ５０，９０に送るための通信制御を行う。
【００３６】
なお、印刷データ及び香り情報３１ｂａ，７１ｂａは、端末４０，８０側からプリンタ５０，９０側に送られるのではなく、サーバ３０，７０を経由してプリンタ５０，９０に送られてもよい。
【００３７】
（２−２−３）表示部
表示部４４，８４は、例えば液晶ディスプレイで構成されている。表示部４４，８４は、ＰＯＰシステム１０に関する各種画面等を表示することができる。
【００３８】
例えば、入力部４５，８５を介して商品マスタデータベース３１ａ，７１ａを編集する旨の指示がなされた場合、表示部４４，８４は、図３に示される商品マスタデータベース３１ａ，７１ａを編集可能に表示することができる。入力部４５，８５を介してＰＯＰ広告のレイアウトや文字の大きさ等を編集する旨の指示がなされた場合、表示部４４，８４は、図６に示されように、ＰＯＰ用データベース３１ｂ，７１ｂを編集可能に表示することができる。ここで、図６は、ＰＯＰ広告のレイアウトに関する編集画面ｓｃ１を表している。図６の編集画面ｓｃ１においては、図４におけるレイアウト枠サイズ情報３１ｂａ，７１ｂａ及びレイアウト情報３１ｂｂ，７１ｂｂが編集可能に表示されている。
【００３９】
また、図示はしていないが、入力部４５，８５を介して特売商品に関する情報を編集する旨の指示がなされた場合、表示部４４，８４は、特売商品の特売期間の更新及び特売商品自体の追加が可能なように、ＰＯＳ関連特売商品マスタデータベース３１ｃ，７１ｃの編集画面を表示することもできる。
【００４０】
更に、表示部４４，８４は、図７に示すように、ＰＯＰ広告の印刷イメージ画面ｓｃ２を表示することができる。図７の印刷イメージ画面ｓｃ２は、実際にはどのような感じでＰＯＰ広告が用紙に印刷されるかを表すためのＰＯＰ広告のイメージ画像であって、ＰＯＰ広告の印刷データがプリンタ５０，９０に送信される前に、表示部４４，８４に表示される。一例として、図７では、商品名「さっぱりミントシャンプー」に対するＰＯＰ広告が作成された際に、用紙に印刷して出力されるであろうＰＯＰ広告のイメージ画像を表している。図７の印刷イメージ画像ｓｃ２からは、商品名、価格、メーカー、商品をアピールするための文字列を含む商品関連情報３１ａａ，７１ａａが、視覚的に確認されうる状態となっている。
【００４１】
（２−２−４）入力部
入力部４５，８５は、文字キーやテンキー等を備えたキーボードと、マウス等のポインティングデバイスとで構成されている。入力部４５，８５は、表示部４４，８４に表示された各種画面に基づいて担当者が行う各種指示及び各種作業の際に用いられる。各種指示としては、ＰＯＰ広告の作成を行う旨の指示、ＰＯＰ広告の印刷を行う旨の指示、各種データベース３１ａ〜３１ｃ，７１ａ〜７１ｃの編集を行う旨の指示等が挙げられる。各種作業としては、各種データベース３１ａ〜３１ｃ，７１ａ〜７１ｃの編集作業、ＰＯＰ広告の作成作業等が挙げられる。
【００４２】
なお、本実施形態では、表示部４４，８４及び入力部４５，８５が、それぞれ別々のハードウェアで構成されている場合を例に採っている。しかし、表示部４４，８４及び入力部４５，８５は、例えばタブレット端末のように、表示機能及び入力機能を兼ね備えたタッチパネルで構成されていてもよい。
【００４３】
（２−３）プリンタ
プリンタ５０，９０（出力部に相当）は、印刷機能のみならず、用紙に香りを付加する芳香付加機能をも併せ持つ印刷装置である。具体的に、本実施形態に係るプリンタ５０，９０は、図７の印刷イメージ画像ｓｃ２に示されるようなＰＯＰ広告を実際に用紙に印刷すると共に、そのＰＯＰ広告における商品の香りを当該用紙に付加することで、ＰＯＰ広告を作成する。つまり、プリンタ５０，９０は、印刷された後のＰＯＰ広告が店舗６０の売場に取り付けられた際、商品関連情報３１ａａ，７１ａａが顧客に提示されつつ、且つ当該情報３１ａａ，７１ａａに対応する香り情報３１ａｂ，７１ａｂに応じた香りが顧客側に放たれるように、サーバ３０，７０におけるＣＰＵ３２，７２の抽出結果を用紙に出力する機器だと言える。
【００４４】
このようなプリンタ５０，９０は、図８及び図９に示すように、主として、記憶部５１，９１、ＣＰＵ５２，９２、画像形成部５４，９４、転写部５５，９５、定着部５６，９６、及び複数の噴霧部５７，９７を有している。
【００４５】
（２−３−１）記憶部
記憶部５１，９１は、ＲＯＭ及びＲＡＭ等である半導体メモリ、ハードディスク等の記憶媒体で構成されている。記憶部５１，９１は、ＣＰＵ５２，９２が読み出して実行するための制御プログラムを記憶している。
【００４６】
また、記憶部５１，９１は、ＰＯＰ広告の印刷動作を行う際、外部機器（具体的には、サーバ３０，７０または端末４０，８０）から送られてきたＰＯＰ広告の印刷データ及び香り情報３１ｂａ，７１ｂａを、一時的に記憶しておくことができる。
【００４７】
（２−３−２）ＣＰＵ
ＣＰＵ５２，９２は、バスラインＢＬ３を介して記憶部５１，９１と接続されている。更に、ＣＰＵ５２，９２は、バスラインＢＬ３及び入出力インターフェース５３，９３を介して、画像形成部５４，９４、転写部５５，９５、定着部５６，９６、噴霧部５７，９７、外部機器であるサーバ３０，７０及び端末４０，８０とも接続されている。
【００４８】
ＣＰＵ５２，９２は、記憶部５１，９１内の制御プログラムに基づいて、外部機器（即ち、サーバ３０，７０及び端末４０，８０）との通信制御、プリンタ５０，９０を構成する各種ハードウェアの動作制御等を行う。一例としては、ＣＰＵ５２，９２は、印刷データ及び香り情報３１ｂａ，７１ｂａを外部機器から受信したり、印刷データ及び香り情報３１ｂａ，７１ｂａの送信元である外部機器に受信完了の旨を送ったりする通信制御を行う。また、ＣＰＵ５２，９２は、印刷データの記憶部５１，９１への記憶制御、画像形成部５４，９４における画像形成動作の制御等を行う。
【００４９】
（２−３−３）画像形成部
画像形成部５４，９４は、印刷データに基づいてトナー像を形成する機能部である。特にプリンタ５０，９０がカラー印刷対応タイプである場合には、画像形成部５４，９４は、例えばマゼンダ、イエロー、シアン、ブラック等の色毎に設けられる。
【００５０】
図９に示すように、画像形成部５４，９４は、主として、感光体ドラム５４ａ，９４ａ及び現像器５４ｂ，９４ｂを有している。感光体ドラム５４ａ，９４ａは、像担持体としてのアモルファスシリコン等からなる感光層を有しており、その表面には印刷データに基づいて静電潜像が形成される。詳細には、感光体ドラム５４ａ，９４ａの表面は、一様に帯電された後露光され、その後静電潜像が形成されることとなる。現像器５４ｂ，９４ｂは、感光体ドラム５４ａ，９４ａの表面に配置されており、現像器５４ｂ，９４ｂの内部には、各色に応じたトナーが収容されている。現像器５４ｂ，９４ｂは、感光体ドラム５４ａ，９４ａ上にトナーを供給して、感光体ドラム５４ａ，９４ａ表面上の静電潜像をトナー画像として現像する。
【００５１】
（２−３−４）転写部
転写部５５，９５は、感光体ドラム５４ａ，９４ａ上のトナー画像を用紙に転写する機能部であって、図９に示すように、主として転写ローラ５５ａ，９５ａを有している。転写ローラ５５ａ，９５ａは、用紙搬送方向に沿って延びる搬送ベルト５５ｂ，９５ｂを介して感光体ドラム５４ａ，９４ａと対向するようにして配置されている。転写ローラ５５ａ，９５ａは、感光体ドラム５４ａ，９４ａの回転方向とは反対方向に回転するが、転写ローラ５５ａ，９５ａ及び感光体ドラム５４ａ，９４ａのいずれも、用紙搬送方向に沿う方向に回転する。
【００５２】
このような転写部５５，９５により、搬送ベルト５５ｂ，９５ｂに吸着されながら搬送されてきた用紙は、転写ローラ５５ａ，９５ａによってトナー画像が転写されつつも、回転する感光体ドラム５４ａ，９４ａ及び転写ローラ５５ａ，９５ａによって更に用紙搬送方向下流側へと導かれる。
【００５３】
（２−３−５）定着部
定着部５６，９６は、用紙に転写されたトナー画像を、用紙に定着させる機能部であって、図９に示すように、画像形成部５４，９４及び転写部５５，９５よりも用紙搬送方向下流側に位置している。定着部５６，９６は、加熱ローラ５６ａ，９６ａ及び加圧ローラ５６ｂ，９６ｂを有している。
【００５４】
加熱ローラ５６ａ，９６ａの内部には、ヒータが含まれている。加圧ローラ５６ｂ，９６ｂは、搬送ベルト５５ｂ，９５ｂを介して加熱ローラ５６ａ，９６ａと対向するようにして配置されている。加熱ローラ５６ａ，９６ａの回転方向と加圧ローラ５６ｂ，９６ｂの回転方向とは、互いに反対方向であるが、加熱ローラ５６ａ，９６ａ及び加圧ローラ５６ｂ，９６ｂのいずれも、用紙搬送方向に沿う方向に回転する。
【００５５】
このような定着部５６，９６により、搬送ベルト５５ｂ，９５ｂに吸着されながら搬送されてきた用紙は、加熱ローラ５６ａ，９６ａによって暖められつつも、回転する加熱ローラ５６ａ，９６ａ及び加圧ローラ５６ｂ，９６ｂによって更に用紙搬送方向下流側へと導かれる。これにより、用紙上のトナー画像は比較的乾いて用紙に定着する。
【００５６】
（２−３−６）噴霧部
複数の噴霧部５７，９７は、トナー画像が定着した後の用紙に、香りを噴霧する機能部であって、図９に示すように、定着部５６，９６よりも用紙搬送方向下流側に位置している。複数の噴霧部５７，９７それぞれは、芳香剤収納カートリッジ５７ａ，９７ａ及び噴霧ノズル５７ｂ，９７ｂを有している。
【００５７】
芳香剤収納カートリッジ５７ａ，９７ａの内部には、液状タイプの芳香剤が収納されており、プリンタ５０，９０内部に取り付けたり外部へ取り出したりできるように、ノズル５７ｂ，９７ｂに対し着脱可能に取り付けられている。芳香剤は、定着部５６，９６によって用紙に定着されたＰＯＰ広告における商品の香りを放つものである。噴霧ノズル５７ｂ，９７ｂは、芳香剤収納カートリッジ５７ａ，９７ａから下方へと延びた部材であって、一端が芳香剤収納カートリッジ５７ａ，９７ａに差し込まれ、他端が搬送ベルト５５ｂ，９５ｂ付近にまで達している。図示してはいないが、当該部材には、カートリッジ５７ａ，９７ａ側端部からベルト５５ｂ，９５ｂ側端部まで貫通穴が形成されている。従って、噴霧ノズル５７ｂ，９７ｂからは、芳香剤収納カートリッジ５７ａ，９７ａ内の芳香剤が、ＰＯＰ広告が印刷された後の用紙に噴霧されることとなる。
【００５８】
また、図示はしていないが、芳香剤収納カートリッジ５７ａ，９７ａと噴霧ノズル５７ｂ，９７ｂとの接続部分には、貫通穴を開放したり塞いだりするための開閉機構が設けられている。開閉機構は、ＣＰＵ５２，９２によって開閉が制御され、これにより噴霧部５７，９７は、芳香剤の用紙への噴霧を行ったり行わなかったりすることができる。つまり、ＣＰＵ５２，９２によって芳香剤の噴霧指示がなされた場合には、噴霧部５７，９７は、ＰＯＰ広告が印刷された用紙に芳香剤の噴霧を行う。そのため、サーバ３０，７０のＣＰＵ３２，７２によって抽出された香り情報３１ｂａ，７１ｂａに応じた香りが付加された用紙が、プリンタ５０，９０の外部に排出されることとなる。逆に、ＣＰＵ５２，９２によって芳香剤の噴霧が禁止されている場合、もしくは噴霧指示がなされていない場合には、噴霧部５７，９７は、ＰＯＰ広告が印刷された用紙への芳香剤の噴霧を行わない。そのため、何の香りも吹かされていない用紙が、プリンタ５０，９０の外部に排出されることとなる。
【００５９】
ここで、図３にて示したように、商品マスタデータベース３１ａ，７１ａには、複数の商品関連情報３１ａａ，７１ａａ及び香り情報３１ｂａ，７１ｂａが含まれている。故に、図８に示すように、噴霧部５７，９７は、複数個も受けられている。具体的に、噴霧部５７，９７は、商品マスタデータベース３１ａ，７１ａのうち、香り情報が書き込まれているレコードの数に応じて、複数個設けられている。この場合、ＣＰＵ５２，９２は、印刷データと共に取得した香り情報３１ｂａ，７１ｂａに応じて、当該香り情報３１ｂａ，７１ｂａに対応する芳香剤が収納された噴霧部５７，９７を選択する。これにより、選択された噴霧部５７，９７が噴霧動作を行うため、ＰＯＰ広告が示す商品に対応した香りが、確実に用紙に付加されることとなる。
【００６０】
（３）動作
上記「（１）概要」でも述べたように、本実施形態に係るＰＯＰシステム１０では、ＰＯＰ広告の印刷手順の一例として、３つのパターン（Ｉ）〜（ＩＩＩ）を挙げている。そこで、以下では、各パターン（Ｉ）〜（ＩＩＩ）におけるＰＯＰシステム１０の動作を説明する。
【００６１】
（３−１）印刷手順がパターン（Ｉ）の場合
図１０は、本実施形態に係るＰＯＰシステム１０が行う一連の動作のうち、ＰＯＰ広告の印刷手順がパターン（Ｉ）である場合の動作の流れを表している。図１０に示すように、パターン（Ｉ）では、印刷データの作成ならびに対応する香り情報３１ｂａ〜７１ｂａの抽出までの動作は、本部２０側である商品のメーカー側の各種機器（具体的には、本部側サーバ３０及び本部側端末４０）にて行われ、ＰＯＰ広告の実際の印刷動作は、各店舗６０側である各店舗Ａ，Ｂ側の各種機器（具体的には、店舗側サーバ７０、店舗側端末８０、店舗側プリンタ９０）にて行われる。
【００６２】
なお、図１０では、説明の便宜上、店舗６０の数が２つである場合を例示している。
【００６３】
先ずは、本部２０側であるメーカーの担当者により、本部側端末４０を用いて本部側サーバ３０内の各データベース３１ａ〜３１ｃの作成動作、更新動作及び管理動作が行われる（＃１）。
【００６４】
ＰＯＰ広告の作成の際、メーカーの担当者は、本部側端末４０を用いてＰＯＰ広告の作成指示を入力する。すると、本部側サーバ３０は、商品マスタデータベース３１ａ内から、ＰＯＰ広告の対象となる商品の商品関連情報３１ａａを抽出する（＃２）。メーカーの担当者は、本部側端末４０を用いて商品のＰＯＰ広告の作成を行う。これにより、本部側サーバ３０及び本部側端末４０によって、ＰＯＰ広告の印刷データの作成及び更新が行われる。なお、印刷データは、本部側サーバ３０または本部側端末４０内にて管理される（＃３）。
【００６５】
次いで、本部側端末４０を用いてＰＯＰ広告の印刷データの送信指示が入力されると、本部側サーバ３０は、上記印刷データに対応する香り情報３１ａｂを、商品マスタデータベース３１ａ内から抽出し（＃４）、印刷データ及び香り情報３１ａｂを店舗６０側である各店舗Ａ，Ｂに送信する（＃５）。
【００６６】
店舗６０側である各店舗Ａ，Ｂの店舗側サーバ７０または店舗側端末８０は、送られてきた印刷データ及び香り情報３１ａｂを受信すると（＃６，＃７）、これらを店舗側プリンタ９０に送信する。店舗側プリンタ９０は、送られてきた印刷データに基づいてＰＯＰ広告を用紙に印刷すると共に、送られてきた香り情報３１ａｂに対応する香りを当該用紙に噴霧する（＃８，＃９）。
【００６７】
このようにして作成された香り付きＰＯＰ広告は、各店舗Ａ，Ｂの担当者によって、当該ＰＯＰ広告の対象となる商品が陳列されている売場エリア付近に取り付けられる。
【００６８】
（３−２）印刷手順がパターン（ＩＩ）の場合
図１１は、本実施形態に係るＰＯＰシステム１０が行う一連の動作のうち、ＰＯＰ広告の印刷手順がパターン（ＩＩ）である場合の動作の流れを表している。図１１に示すように、パターン（ＩＩ）では、印刷データの作成や対応する香り情報３１ｂａ，７１ｂａの抽出、更にはＰＯＰ広告の実際の印刷動作までもが、本部２０側である店舗Ａ，Ｂの本社側の各種機器（具体的には、本部側サーバ３０、本部側端末４０、本部側プリンタ５０）にて行われる。ＰＯＰ広告の売場への取り付け動作のみが、各店舗６０側である各店舗Ａ，Ｂで行われる。
【００６９】
なお、上述した図１０と同様、図１１でも、店舗６０の数が２つである場合を例示している。
【００７０】
先ずは、本部２０側である店舗Ａ，Ｂの本社の担当者により、本部側端末４０を用いて本部側サーバ３０内の各データベース３１ａ〜３１ｃの作成動作、更新動作及び管理動作が行われる（＃２１）。
【００７１】
ＰＯＰ広告の作成の際、本社の担当者は、本部側端末４０を用いてＰＯＰ広告の作成指示を入力する。すると、本部側サーバ３０は、商品マスタデータベース３１ａ内から、ＰＯＰ広告の対象となる商品の商品関連情報３１ａａを抽出する（＃２２）。本社の担当者は、本部側端末４０を用いて商品のＰＯＰ広告の作成を行う。これにより、本部側サーバ３０及び本部側端末４０によって、ＰＯＰ広告の印刷データの作成及び更新が行われる。なお、印刷データは、本部側サーバ３０または本部側端末４０内にて管理される（＃２３）。
【００７２】
次いで、本部側端末４０を用いてＰＯＰ広告の印刷指示が入力されると、本部側サーバ３０は、上記印刷データに対応する香り情報３１ａｂを、商品マスタデータベース３１ａ内から抽出する（＃２４）。印刷データ及び香り情報３１ｂａは、本部側サーバ３０もしくは本部側端末４０から本部側プリンタ５０へと送信される。本部側プリンタ５０は、送られてきた印刷データに基づいてＰＯＰ広告を用紙に印刷すると共に、送られてきた香り情報３１ａｂに対応する香りを当該用紙に噴霧する（＃２５）。このようにして、香り付きＰＯＰ広告は、複数毎作成され、店舗６０側である各店舗Ａ，Ｂの担当者に配布される（＃２６）。
【００７３】
各店舗Ａ，Ｂの担当者は、配布された香り付きＰＯＰ広告を受け取ると、当該ＰＯＰ広告の対象となる商品が陳列されている売場エリア付近に取り付ける。
【００７４】
（３−３）印刷手順がパターン（ＩＩＩ）の場合
図１２は、本実施形態に係るＰＯＰシステム１０が行う一連の動作のうち、ＰＯＰ広告の印刷手順がパターン（ＩＩＩ）である場合の動作の流れを表している。図１２に示すように、パターン（ＩＩＩ）では、各データベース３１ａ〜３１ｃの作成や管理、ＰＯＰ広告の作成を含む動作全てが、店舗６０側の各種機器（具体的には、店舗側サーバ７０、店舗側端末８０、店舗側プリンタ９０）にて行われる。故に、本部２０側にて行われる動作はない。
【００７５】
従って、パターン（ＩＩＩ）では、各店舗Ａ，Ｂ側の各種機器が行う一連の動作はほぼ同様である。そのため、図１２では、店舗Ａ側での動作のみを例示している。
【００７６】
先ずは、店舗Ａの担当者により、店舗側端末８０を用いて店舗側サーバ７０内の各データベース３１ａ〜３１ｃの作成動作、更新動作及び管理動作が行われる（＃３１）。
【００７７】
ＰＯＰ広告の作成の際、店舗Ａの担当者は、店舗側端末８０を用いてＰＯＰ広告の作成指示を入力する。すると、店舗側サーバ７０は、商品マスタデータベース３１ａ内から、ＰＯＰ広告の対象となる商品の商品関連情報３１ａａを抽出する（＃３２）。店舗Ａの担当者は、店舗側端末８０を用いて商品のＰＯＰ広告の作成を行う。これにより、店舗側サーバ７０及び店舗側端末８０によって、ＰＯＰ広告の印刷データの作成及び更新が行われる。なお、印刷データは、店舗側サーバ７０または店舗側端末８０内にて管理される（＃３３）。
【００７８】
次いで、店舗側端末８０を用いてＰＯＰ広告の印刷指示が入力されると、店舗側サーバ７０は、上記印刷データに対応する香り情報３１ａｂを、商品マスタデータベース３１ａ内から抽出する（＃３４）。印刷データ及び香り情報３１ｂａは、店舗側サーバ７０もしくは店舗側端末８０から店舗側プリンタ９０へと送信される。店舗側プリンタ９０は、送られてきた印刷データに基づいてＰＯＰ広告を用紙に印刷すると共に、送られてきた香り情報３１ａｂに対応する香りを当該用紙に噴霧する（＃３５）。このようにして作例された香り付きＰＯＰ広告は、店舗Ａの担当者により、当該ＰＯＰ広告の対象となる商品が陳列されている売場エリア付近に取り付けられる（＃３６）。
【００７９】
（４）特徴
（４−１）
本実施形態におけるサーバ３０，７０の記憶部３１，７１には、商品名及び商品の価格等を含む商品関連情報３１ａａ，７１ａａと該商品の香りを示す香り情報３１ａｂ，７１ａｂとが関連付けられた商品マスタデータベース３１ａ，７１ａが記憶されている。サーバ３０，７０のＣＰＵ３２，７２は、商品マスタデータベース３１ａ，７１ａから、販売対象となっている商品の商品関連情報３１ａａ，７１ａａ及びこれに対応する香り情報３１ａｂ，７１ａｂを抽出する。プリンタ５０，９０は、抽出された商品関連情報３１ａａ，７１ａａが顧客に提示されつつ、抽出された香り情報３１ａｂ，７１ａｂに応じた香りが顧客側に放たれるように、抽出された商品関連情報３１ａａ，７１ａａ及び香り情報３１ａｂ，７１ａｂを用紙に出力する。
【００８０】
これにより、プリンタ５０，９０からは、商品の香り付きのＰＯＰ広告が印刷され、香り付きのＰＯＰ広告は、商品の陳列されている売場エリア付近に取り付けられる。従って、顧客は、商品関連情報３１ａａ，７１ａａである商品名及び価格等を視覚的に把握し、更にはその商品の香りを嗅覚的に捉えることができる。つまり、顧客は、商品の価格等と、その商品の香りとを、同時に知ることができる。従って、商品名及び価格を含むＰＯＰ広告のみが取り付けられた場合に比して、顧客による商品の購買意欲がより効率的に喚起されることとなる。
【００８１】
（４−２）
ところで、顧客の購買意欲喚起の方法には、商品の香りを放つ芳香器を陳列棚付近に配備する方法があると既に説明した。しかし、この方法では、芳香器が配備されたエリアには、１つの商品のみならず、複数の商品が陳列されている場合が多い。すると、複数の商品の中には、商品自体の香りとエリア内に充満する香りとのミスマッチが生じている商品があり、このような商品に対しては、かえって顧客の購買意欲を減衰させてしまいかねない。
【００８２】
これに対し、本実施形態では、商品関連情報３１ａａ，７１ａａが印刷された用紙に、更に当該商品関連情報３１ａａ，７１ａａに対応する商品の香りが噴霧される。このような香り付きＰＯＰ広告であれば、上記ミスマッチの発生を比較的抑えることが可能である。何故ならば、ＰＯＰ広告は、一般的には特売商品に対して利用されるものである。特売商品は、目に付きやすい売場エリアに置かれるため、他の商品が陳列されているところと少々距離が離れている場合が多い。また、香りはＰＯＰ広告の用紙に噴霧されるため、香りの強さも、芳香器よりも限定的である。それ故、ＰＯＰ広告が放つ香りが、陳列されている商品の香りではないといった事象は、生じにくくなる。
【００８３】
また、上記芳香器としては、商品の香りが充填されたカートリッジを芳香器本体に装着するタイプのものがよく採用されている。そのため、店舗内の担当者は、カートリッジ内の香りの残量が少ない場合には、芳香器の配備されたエリア（つまりは、売場）まで行ってカートリッジの交換をする必要がある。
【００８４】
これに対し、本実施形態では、ＰＯＰ広告自体に商品の香りが付加されているため、店舗６０の担当者が売場エリアまでカートリッジの交換に出向く必要はなくなる。従って、芳香器を用いる場合に比して、担当者の利便性も向上する。
【００８５】
（５）変形例
以上、本発明の一実施形態について説明した。しかし、本発明は上記実施形態に限定されるものではなく、発明の要旨を逸脱しない範囲で種々の変更が可能である。
【００８６】
（５−１）変形例Ａ
上記実施形態では、商品関連情報３１ａａ，７１ａａが用紙に印刷されると共に、商品関連情報３１ａａに対応する商品の香りが当該用紙に付加されることで、香り付きのＰＯＰ広告が作成される場合について説明した。しかし、商品関連情報３１ａａ，７１ａａは、用紙に印刷されるのではなく、電子棚札や売場エリアに配置された液晶ディスプレイ等の表示部に表示されてもよい。この場合、商品関連情報３１ａａ，７１ａａに対応する商品の香りは、表示部付近から顧客側へと放たれる。
【００８７】
この場合の販売促進支援装置が採用されたＰＯＰシステム１００の概略を、図１３に示す。ＰＯＰシステム１００は、本部１２０側に設置された本部側サーバ１３０及び本部側端末１４０を備える。更に、ＰＯＰシステム１００は、店舗１６０側に設置された店舗側サーバ１７０、店舗側端末１８０、表示装置１９０ａ（表示部に相当）及び噴霧装置１９０ｂ（噴霧部に相当）を備える。そして、各サーバ１３０，１７０は、記憶部１３１，１７１、ＣＰＵ１３２，１７２（抽出部に相当）及び入出力インターフェース１３３，１７３（出力部に相当）を有する。なお、本部側端末１４０及び店舗側端末１８０は、上記実施形態の本部側端末４０及び店舗側端末８０と全く同一の構成を有する。
【００８８】
記憶部１３１，１７１及びＣＰＵ１３２，１７２は、上記実施形態の記憶部３１，７１及びＣＰＵ３２，７２と同様である。即ち、記憶部１３１，１７１は、上記実施形態のサーバ３０，７０における記憶部３１，７１と同様、図２の商品マスタデータベース３１ａ，７１ａ（芳香関連データに相当）等の各種データベースを記憶している。図３に示されるように、商品マスタデータベース３１ａ，７１ａには、商品関連情報３１ａａ，７１ａａ及び香り情報３１ａｂ，７１ａｂが関連付けられている。ＣＰＵ１３２，１７２は、商品マスタデータベース３１ａ，７１ａから商品関連情報３１ａａ，７１ａａ及び香り情報３１ａｂ及び７１ａｂを抽出する。入出力インターフェース１３３，１７３は、図２の入出力インターフェース３３，７３と同様、記憶部１３１，１７１及びＣＰＵ１３２，１７２と接続されており、ネットワーク１１１を介して各サーバ１７０，１３０、各端末１４０，１８０、表示装置１９０ａ及び噴霧装置１９０ｂと接続されている。入出力インターフェース１３３，１７３は、抽出された商品関連情報３１ａａ，７１ａａを表示装置１９０ａに送信し、抽出された香り情報３１ａｂ，７１ａｂを噴霧装置１９０ｂに送信する。
【００８９】
表示装置１９０ａは、電子棚札や、売場に配置された液晶ディスプレイであって、抽出された商品関連情報３１ａａ，７１ａａをＰＯＰ広告として表示する。噴霧装置１９０ｂは、表示装置１９０ａ付近に位置しており、香りを噴霧したり噴霧を停止したりすることができる装置である。表示装置１９０ａが商品関連情報３１ａａを表示している際、噴霧装置１９０ｂは、当該商品関連情報３１ａａに関連した香り情報３１ａｂに応じた香りを噴霧する。
【００９０】
つまり、ここでは、電子棚札や液晶ディスプレイで構成された表示装置１９０ａには、商品の商品関連情報３１ａａがＰＯＰ広告として表示されるのみならず、表示装置１９０ａ付近の噴霧装置１９０ｂからは、その商品の香りが顧客側に放たれる。これにより、用紙に印刷された香り付きＰＯＰ広告が売場エリアに貼り付けられる場合と同様、商品名及び価格を含むＰＯＰ広告のみが取り付けられた場合に比して、顧客による商品の購買意欲がより効率的に喚起されることとなる。
【００９１】
また、このＰＯＰシステム１００では、表示装置１９０ａを一度設置すれば済むため、ＰＯＰ広告が印刷された用紙のはり替え作業が不要となり、店舗１６０側の担当者の利便性が向上する。
【００９２】
（５−２）変形例Ｂ
また、本発明に係る販売促進支援装置は、図１４のＰＯＰシステム１００’に示されるように、香り付きＰＯＰ広告を印刷可能なプリンタ１５０，１９０ｃと、ＰＯＰ広告を表示する表示装置１９０ａと、当該ＰＯＰ広告における商品の香りを顧客側に放つ噴霧装置１９０ｂとが、併用された構成であってもよい。
【００９３】
（５−３）変形例Ｃ
上記実施形態及び変形例Ａ，Ｂでは、商品関連情報３１ａａ，７１ａａ等の記憶部３１，７１，１３１，１７１、商品関連情報３１ａａ，７１ａａ及び香り情報３１ａｂ，７１ａｂを抽出する抽出部としてのＣＰＵ３２，７２，１３２，１７２、抽出部の抽出結果である香り付きＰＯＰ広告を出力する出力部としての装置（具体的には、プリンタ５０，９０，１５０，１９０ｃ、表示装置１９０ａ及び噴霧装置１９０ｂ）が、別々の装置で構成される場合について説明した。
【００９４】
しかし、上記記憶部、抽出部及び出力部が、１つの装置によって構成されていてもよい。
【産業上の利用可能性】
【００９５】
以上のように、本願発明によれば、商品名及び価格を含むＰＯＰ広告のみが取り付けられた場合に比して、顧客による商品の購買意欲がより効率的に喚起される。従って、本願発明は、ＰＯＰ広告を作成するための装置及びこれを備えたシステムにおいて有用である。
【符号の説明】
【００９６】
１０，１００，１００’  ＰＯＰシステム（販売促進支援装置）
１１  ネットワーク
２０，１２０  本部
３０，１３０  本部側サーバ
３１，１３１  記憶部（記憶部）
３１ａ  商品マスタデータベース（芳香関連データ）
３１ａａ  商品関連情報
３１ａｂ  香り情報
３１ｂ  ＰＯＰ用データベース
３１ｂａ  レイアウト枠サイズ情報
３１ｂｂ  レイアウト情報
３１ｃ  ＰＯＳ関連特売商品マスタデータベース
３２，１３２  ＣＰＵ（抽出部）
４０，１４０  本部側端末
４１  記憶部
４２  ＣＰＵ
４４  表示部
４５  入力部
５０，１５０  本部側プリンタ（出力部）
５１  記憶部
５２  ＣＰＵ
５４  画像形成部
５５  転写部
５６  定着部
５７  噴霧部
５７ａ  芳香剤収納カートリッジ
５７ｂ  噴霧ノズル
６０，１６０  店舗
７０，１７０  店舗側サーバ
７１，１７１  記憶部（記憶部）
７１ａ  商品マスタデータベース（芳香関連データ）
７１ａａ  商品関連情報
７１ａｂ  香り情報
７１ｂ  ＰＯＰ用データベース
７１ｂａ  レイアウト枠サイズ情報
７１ｂｂ  レイアウト情報
７１ｃ  ＰＯＳ関連特売商品マスタデータベース
７２，１７２  ＣＰＵ
８０，１８０  店舗側端末
８１  記憶部
８２  ＣＰＵ
８４  表示部
８５  入力部
９０  店舗側プリンタ
９１  記憶部
９２  ＣＰＵ
９４  画像形成部
９５  転写部
９６  定着部
９７  噴霧部
９７ａ  芳香剤収納カートリッジ
９７ｂ  噴霧ノズル
１３３，１７３  入出力インターフェース（出力部）
１９０ａ  表示装置（表示部）
１９０ｂ  噴霧装置（噴霧部）
１９０ｃ  店舗側プリンタ（出力部）
【先行技術文献】
【特許文献】
【００９７】
【特許文献１】特開２００５−１９３４３３号公報
【図１】
2014142700.tif 000003
【図２】
2014142700.tif 000004
【図３】
2014142700.tif 000005
【図４】
2014142700.tif 000006
【図５】
2014142700.tif 000007
【図６】
2014142700.tif 000008
【図７】
2014142700.tif 000009
【図８】
2014142700.tif 000010
【図９】
2014142700.tif 000011
【図１０】
2014142700.tif 000012
【図１１】
2014142700.tif 000013
【図１２】
2014142700.tif 000014
【図１３】
2014142700.tif 000015
【図１４】
2014142700.tif 000016